【手続補正書】
【提出日】平成25年3月12日(2013.3.12)
【手続補正１】
【補正対象書類名】特許請求の範囲
【補正対象項目名】全文
【補正方法】変更
【補正の内容】
【特許請求の範囲】
【請求項１】
ポンプ制御器モジュールを具備する装置であって、
前記ポンプ制御器モジュールは、
ポンプに供給されるモータ電圧でポンプから供給される電流に関する情報を含む入力信号に応答するように、及び
ポンプ圧力を直接に感知することなしにほぼ一定の圧力で作動するように前記ポンプを制御するために、モータ電圧に対する修正項を含んでポンプに供給するための出力電圧信号を、モータ電圧でポンプから供給される電流と、モータ電圧において表から校正された設定電流との間の誤り訂正に少なくとも部分的に基いて決定するように、構成されている装置。
【請求項２】
前記ポンプ制御器モジュールは、電流感知モジュールと、電流測定モジュールとを具備しており、
前記電流感知モジュールは、モータ電圧における電流に関する情報を含む前記入力信号を受信して、モータ電圧において感知された電流に関する情報を含む電流感知信号を供給するように構成されており、
前記電流測定モジュールは、モータ電圧において感知された電流に関する情報を含む前記電流感知信号を受信して、モータ電圧において測定された電流に関する情報を含む測定電流信号を供給するように構成されている、請求項１に記載の装置。
【請求項３】
前記ポンプ制御器モジュールは設定電流モジュールを具備しており、
前記設定電流モジュールは、モータ電圧に関する情報を含むモータ電圧信号を受信して、モータ電圧において表から校正された設定電流に関する情報を含む設定電流信号を供給するように構成されている、請求項１に記載の装置。
【請求項４】
前記ポンプ制御器モジュールは節点を具備しており、
前記節点は、モータ電圧において測定された電流に関する情報を含む測定電流信号を受信するとともに、モータ電圧において表から校正された設定電流に関する情報を含む設定電流信号を受信して、モータ電圧において測定された電流と、モータ電圧において表から校正された設定電流との間の誤り訂正に関する情報を含む誤り訂正信号を供給するように構成されている、請求項１に記載の装置。
【請求項５】
前記ポンプ制御器モジュールはＰＩＤ制御器モジュールを具備しており、
前記ＰＩＤ制御器モジュールは、モータ電圧において測定された電流と、モータ電圧において表から校正された設定電流との間の誤り訂正に関する情報を含む誤り訂正信号を受信するとともに、モータ電圧に関する情報を含むモータ電圧信号を受信して、ポンプ圧力を直接に感知することなしにほぼ一定の圧力で作動するようにポンプを制御する出力電圧信号を供給するように構成されている、請求項１に記載の装置。
【請求項６】
前記表が各ポンプのために校正される、請求項５に記載の装置。
【請求項７】
前記決定が、次に示す等式、即ち
Ｉ＝Ｖｍ＋Ｃ
を用いる電圧と電流に関する特性に少なくとも部分的に基いている、請求項６に記載の装置であって、
ここで、ｍ＝（Ｉ１−Ｉ２）／（Ｖ１−Ｖ２）
Ｃ＝（Ｖ１・Ｉ２−Ｖ２・Ｉ１）／（Ｖ１−Ｖ２）
（Ｖ１、Ｉ１）は曲線の低い点
（Ｖ２、Ｉ２）は曲線の高い点
である、請求項６に記載の装置。
【請求項８】
前記ポンプ制御器モジュールは、設定電流モジュールを具備しており、
前記設定電流モジュールは、モータ電圧に関する情報を含むモータ電圧信号を受信して、モータ電圧において表から校正された設定電流に関する情報を含む設定電流信号を供給するように構成されている、請求項２に記載の装置。
【請求項９】
前記ポンプ制御器モジュールは節点を具備しており、
前記節点は、モータ電圧において測定された電流に関する情報を含む前記測定電流信号を受信するとともに、モータ電圧において表から校正された設定電流に関する情報を含む前記設定電流信号を受信して、モータ電圧において測定された電流とモータ電圧において表から校正された設定電流との間の誤り訂正に関する情報を含む誤り訂正信号を供給するように構成されている、請求項８に記載の装置。
【請求項１０】
前記ポンプ制御器モジュールはＰＩＤ制御器モジュールを具備しており、
前記ＰＩＤ制御器モジュールは、モータ電圧において測定された電流と、モータ電圧において表から校正された設定電流との間の誤り訂正に関する情報を含む前記誤り訂正信号を受信するとともに、モータ電圧に関する情報を含む前記モータ電圧信号を受信して、ポンプ圧力を直接に感知することなしにほぼ一定の圧力で作動するようにポンプを制御する前記出力電圧信号を供給するように構成されている、請求項９に記載の装置。
【請求項１１】
前記表が各ポンプのために校正される、請求項１に記載の装置。
【請求項１２】
前記決定が、次に示す等式、即ち
Ｉ＝Ｖｍ＋Ｃ
を用いる電圧と電流に関する特性に少なくとも部分的に基いている、請求項１に記載の装置であって、
ここで、ｍ＝（Ｉ１−Ｉ２）／（Ｖ１−Ｖ２）
Ｃ＝（Ｖ１・Ｉ２−Ｖ２・Ｉ１）／（Ｖ１−Ｖ２）
（Ｖ１、Ｉ１）は曲線の低い点
（Ｖ２、Ｉ２）は曲線の高い点
である、請求項１に記載の装置。
【請求項１３】
該装置が、請求項１に記載のポンプ制御器モジュールを具備するポンプ装置の形態をとる、請求項１に記載の装置。
【請求項１４】
ポンプに供給されるモータ電圧で前記ポンプから供給される電流に関する情報を含む入力信号に応答する段階、並びに
ポンプ圧力を直接に感知することなしにほぼ一定の圧力で作動するように前記ポンプを制御するために、モータ電圧に対する修正項を含んで前記ポンプに供給するための出力電圧信号を、モータ電圧で前記ポンプから供給される電流と、モータ電圧において表から校正された設定電流との間の誤り訂正に少なくとも部分的に基いて決定する段階、を含むポンプを制御する方法。
【請求項１５】
モータ電圧に関する情報を含むモータ電圧信号を受信する段階、及び
モータ電圧において表から校正された設定電流に関する情報を含む設定電流信号を供給する段階、を含む請求項１４に記載の方法。
【請求項１６】
モータ電圧において測定された電流に関する情報を含む測定電流信号を受信する段階、
モータ電圧において表から校正された設定電流に関する情報を含む前記設定電流信号を受信する段階、及び
モータ電圧において測定された電流と、モータ電圧において表から校正された設定電流との間の誤り訂正に関する情報を含む誤り訂正信号を供給する段階、をさらに含む請求項１５に記載の方法。
【請求項１７】
モータ電圧における電流と、モータ電圧において表から校正された設定電流との間の誤り訂正に関する情報を含む前記誤り訂正信号を受信する段階、
モータ電圧に関する情報を含む前記モータ電圧信号を受信する段階、及び
ポンプ圧力を直接に感知することなくほぼ一定の圧力で作動するようにポンプを制御する出力電圧信号を供給する段階、を含む請求項１６に記載の方法。
【請求項１８】
前記表が各ポンプのために校正される、請求項１４に記載の方法。
【請求項１９】
前記決定が、次に示す等式、即ち
Ｉ＝Ｖｍ＋Ｃ
を用いる、電圧と電流に関する特性に少なくとも部分的に基いている、請求項１４に記載の方法であって、
ここで、ｍ＝（Ｉ１−Ｉ２）／（Ｖ１−Ｖ２）
Ｃ＝（Ｖ１・Ｉ２−Ｖ２・Ｉ１）／（Ｖ１−Ｖ２）
（Ｖ１、Ｉ１）は曲線の低い点
（Ｖ２、Ｉ２）は曲線の高い点
である、請求項１４に記載の方法。
【請求項２０】
ポンプに供給されるモータ電圧で前記ポンプから供給される電流に関する情報を含む入力信号に応答する手段と、
ポンプ圧力を直接に感知することなしにほぼ一定の圧力で作動するように前記ポンプを制御するために、モータ電圧に対する修正項を含んで前記ポンプに供給するための出力電圧信号を、モータ電圧における電流と、モータ電圧において表から校正された設定電流との間の誤り訂正に少なくとも部分的に基いて決定する手段と、を具備する装置。
【請求項２１】
ポンプ制御器モジュールを具備する装置であって、
前記ポンプ制御器モジュールは、
ポンプに供給されるモータ電圧における電流に関する情報を含む入力信号に応答するように、及び
ポンプ圧力を直接に感知することなしにほぼ一定の圧力で作動するように前記ポンプを制御するために、モータ電圧に関する情報を含む出力信号を、前記ポンプに供給されるモータ電圧における電流と、前記ポンプに供給されるモータ電圧において表から校正された設定電流との間の誤り訂正に少なくとも部分的に基いて決定するように、構成されており、
前記決定が、次に示す等式、即ち
Ｉ＝Ｖｍ＋Ｃ
を用いる電圧と電流に関する特性に少なくとも部分的に基づいている装置であって、
ここで、ｍ＝（Ｉ１−Ｉ２）／（Ｖ１−Ｖ２）
Ｃ＝（Ｖ１・Ｉ２−Ｖ２・Ｉ１）／（Ｖ１−Ｖ２）
（Ｖ１、Ｉ１）は曲線の低い点
（Ｖ２、Ｉ２）は曲線の高い点
である、装置。
【請求項２２】
ポンプに供給されるモータ電圧における電流に関する情報を含む入力信号に応答する段階、及び
ポンプ圧力を直接に感知することなしにほぼ一定の圧力で作動するように前記ポンプを制御するために、モータ電圧に関する情報を含む出力信号を、前記ポンプに供給されるモータ電圧における電流と、前記ポンプに供給されるモータ電圧において表から校正された設定電流との間の誤り訂正に少なくとも部分的に基いて決定する段階、を含むポンプを制御するための方法であって、
前記決定が、次に示す等式、即ち
Ｉ＝Ｖｍ＋Ｃ
を用いる電圧と電流に関する特性に少なくとも部分的に基づいているポンプを制御するための方法であって、
ここで、ｍ＝（Ｉ１−Ｉ２）／（Ｖ１−Ｖ２）
Ｃ＝（Ｖ１・Ｉ２−Ｖ２・Ｉ１）／（Ｖ１−Ｖ２）
（Ｖ１、Ｉ１）は曲線の低い点
（Ｖ２、Ｉ２）は曲線の高い点
である、方法。